【事件の表示】
　平成１１年特許願第１４６６９８号「無線伝送装置および鍵の設定方法」拒絶査定不服審判事件〔平成１２年１２月　８日出願公開、特開２０００−３４１２６２、請求項の数（２）〕について、次のとおり審決する。
【結　論】
　原査定を取り消す。
　本願の発明は、特許すべきものとする。
【理　由】
１．手続の経緯・本願発明
　本願は、平成１１年５月２６日の出願であって、その請求項１及び請求項２に係る発明は、平成１２年３月９日付けの手続補正により補正された明細書及び図面の記載からみて、その特許請求の範囲の請求項１及び請求項２に記載されたとおりの以下の事項により特定されるものである。
「【請求項１】
　無線データ送受信手段と、鍵を不揮発性の記憶手段に格納する鍵記憶手段と、鍵を使用してデータの暗号化復号化を行う暗号化手段とを具備する無線伝送装置において、
　鍵生成手段と、
　鍵設定モード起動手段と、
　親／子指定手段と、
　無線伝送装置と端末装置との間でデータ伝送を行うための有線データ送受信手段と、
　前記有線データ送受信手段を使用して鍵を他の無線伝送装置に転送する鍵転送手段と、
　前記有線データ送受信手段を使用して鍵を受信する鍵受信手段と、
　前記鍵設定モード起動手段によって鍵設定モードが起動された場合に、前記親／子指定手段により親局に指定されている場合には、前記鍵生成手段によって鍵を生成し、前記鍵記憶手段によって鍵を不揮発性の記憶手段に格納すると共に、前記鍵転送手段によって鍵を他の無線伝送装置に転送し、前記親／子指定手段により子局に指定されている場合には、前記鍵受信手段によって鍵を受信し、前記鍵記憶手段によって鍵を不揮発性の記憶手段に格納する鍵設定制御手段と
　を備え、
　更に、前記親／子指定手段により親局に指定されている場合に、前記不揮発性の記憶手段に格納されている鍵を前記鍵転送手段によって他の無線伝送装置に転送する鍵コピー手段
を備えたことを特徴とする無線伝送装置。
【請求項２】
　更に、子局に指定されていた無線伝送装置が親局に指定された場合には、前記不揮発性の記憶手段に格納されている鍵を消去する鍵消去手段を備えたことを特徴とする請求項１に記載の無線伝送装置。」
　
２．刊行物記載の発明
（１）原審の拒絶の理由に引用された刊行物１（特開平１０−２８５６５５号公報）には、以下の事項が記載されている。
ア．「【請求項１】 基地局と無線機との間で秘話コードを統一させ、その秘話コードによって変復調を行って無線通信を行う様にした無線通信システムであって、上記基地局と無線機間とを有線で接続し、その有線を介して秘話コードの指定信号を上記基地局から無線機へ供給することを特徴とする無線通信システム。」
　
イ．「【発明の属する技術分野】本発明は、基地局無線機と複数の携帯無線機を用いて無線通信を行う無線通信システムに関し、特に、秘話性を要する無線通信を行う場合に盗聴を防止することができる無線通信システムに関する。」
　
ウ．「【発明が解決しようとする課題】しかしながら、上述の様な従来の無線通信システムでは、上記携帯無線機（端末）２が盗難にあった場合などに、その盗まれた端末２のディップスイッチ２２を切り換えることによって会話を盗聴されてしまう可能性があった。すなわち、上記端末２が盗まれた時点で、盗聴を防止するため、上記基地局１および残った端末２でディップスイッチ１２、２２を切り換えて、その秘話コードを他の秘話コードへ変えても、上記盗まれた端末２のディップスイッチ２１を色々と切り換えていれば上記変えた秘話コードに到達してしまうことがあった。上記秘話コードの数を増やして盗聴を防止する方法もあるが、上記変えた秘話コードに当たる確率が減るだけで、時間をかければ盗聴は可能であった。例えば、具体的には、８ケタの２進ディップスイッチを使用した場合は２８＝２５６通りの秘話コードしか扱うことができず、盗聴の可能性が高かった。本発明は、上記事情に鑑みてなされたものであって、秘話性を要する無線通信を行う場合に盗聴を防止することができる無線通信システムを提供することを目的とする。」
　
エ．「【課題を解決するための手段】上記目的を達成するため、本発明は、基地局と複数の無線機との間で秘話コードを統一させることによって無線通信を行う様にした無線通信システムにおいて、上記基地局と無線機間とを有線で接続し、その有線を介して秘話コードの指定信号を上記基地局から無線機へ供給することを特徴とする。本発明の他の特徴は、上記基地局に接続された有線が、上記無線機の充電器を介して上記無線機に接続されることである。本発明の他の特徴は、上記基地局が、所定時間に上記秘話コードの指定信号としての乱数を発生させる乱数発生手段と、複数の秘話コードを記憶すると共に上記発生された乱数に対応した秘話コードを出力する秘話コード記憶手段と、上記秘話コードに従って変復調を行う変復調手段とを有し、上記無線機が、複数の秘話コードを記憶すると共に上記基地局より有線を介して送られてきた乱数に対応した秘話コードを出力する秘話コード記憶手段と上記秘話コードに従って変復調を行う変復調手段とを有することである。」
　
オ．「【発明の効果】本発明は、以上の様に、有線で秘話コードの設定のための乱数信号を基地局および各端末へ送って秘話コードの設定を行っているので、無線機にスイッチを付ける必要が無くなり、盗難にあってもシリアル信号のフォーマットを知らない限り盗まれた無線機のコードを変更することができない。そのため、他の無線機のコードを変更すれば盗聴される心配がない。すなわち、仮に盗まれた無線機が付近にあっても、有線のシリアル信号で接続されない限りコード設定信号を受け取ることはできず、他の無線機と同一のコードにすることができないので盗聴することはできない。また、コード設定をスイッチに頼らないため、スイッチの桁数に制限されず多数の組み合わせを使用することができる。」
　
カ．「【発明の実施の形態】以下、本発明を図示した実施形態に基づいて説明する。図１は、本発明による無線通信システムの一実施形態の全体図であり、図２は、図１に示した基地局および携帯無線機（端末）のブロック構成図である。まず、図１に示す様に、この無線通信システムは、１つの基地局２４に対して複数の携帯無線機（端末）２５が設けられる構成となっている。そして、図２に示す様に、上記基地局２４は、音声を入力するマイク２６と、上記マイク２６に接続されたＡ／Ｄ変換器２７と、音声を出力するスピーカ２８と、上記スピーカ２８に接続されたＤ／Ａ変換器２９と、上記Ａ／Ｄ変換器２７および上記Ｄ／Ａ変換器２９に接続されたデジタル変復調器３０と、上記デジタル変復調器３０に接続された送信部３１と、上記送信部３１に接続されたアンテナ３２と、上記アンテナ３２およびデジタル変復調器３０に接続された受信部３３とを有すると共に、上記デジタル変復調器３０に接続された秘話コード記憶部３４と、上記秘話コード記憶部３４に接続された乱数発生部３５と、上記乱数発生部３５に接続された時計３６と、上記乱数発生部３５に接続されたインターフェース３７と、上記インターフェース３７に接続されたコネクタ３８−１とを有している。」
　
キ．「【０００８】そして、上記携帯無線機（端末）２５は、音声を入力するマイク３９と、上記マイク３９に接続されたＡ／Ｄ変換器４０と、音声を出力するスピーカ４１と、上記スピーカ４１に接続されたＤ／Ａ変換器４２と、上記Ａ／Ｄ変換器４０および上記Ｄ／Ａ変換器４２に接続されたデジタル変復調器４３と、上記デジタル変復調器４３に接続された送信部４４と、上記送信部４４に接続されたアンテナ４５と、上記アンテナ４５およびデジタル変復調器４３に接続された受信部４６とを有し、さらに、上記デジタル変復調器４３に接続された秘話コード記憶部４７と、上記秘話コード記憶部４７に接続されたインターフェース４８と、上記インターフェース４８に接続されたコネクタ４９−１とを有している。そして、上記基地局２４のコネクタ３８−１と接続可能なコネクタ３８−２と上記端末２５のコネクタ４９−１接続可能なコネクタ４９−２とが有線５０で接続される様になっている。」
　
ク．「この実施形態では、図３に示す様に、上記端末２５のコネクタ４９−１が充電器５１の内底面のコネクタ４９−２を介して上記有線５０に着脱自在に接続される様になっており、上記基地局２４のコネクタ３８−１と連接するコネクタ３８−２と有線５０とが直接に接続されている。すなわち、通常、上記端末２５は１日 少なくとも１回は上記充電器５１に取り付けて充電を行う様になっているので、上記端末２５は上記充電器５１を介して上記有線５０に１日１回は接続される。そして、上記秘話コード記憶部３４、４７は、ＲＯＭ等のメモリから成っており、それぞれ同じ複数の秘話コードを記憶しており、上記乱数発生部３５よりの乱数に対応した秘話コードを上記デジタル変復調器３０、４３に出力する様になっている。」（第３頁右欄第２９行〜４２行）
　
ケ．「【０００９】次に、上述の如き構成の無線通信システムの動作について説明する。まず、秘話コードの設定の動作について説明すると、上記基地局２４において上記時計３６によって１日毎の所定時間を計測し、その所定時間に上記時計３６より上記乱数発生部３５に乱数発生指示信号が供給される。上記乱数発生指示信号を入力した乱数発生部３５は、その入力時点の乱数信号を出力し、その乱数信号は、上記基地局２４の秘話コード記憶部３４へ送られると共に、上記インターフェース３７およびコネクタ３８および有線５０およびコネクタ４９およびインターフェース４８を介して上記端末２５の秘話コード記憶部４７へも送られる。そして、上記各秘話コード記憶部３４、４７は上記乱数に対応した秘話コードを選択して各デジタル変復調器３０、４３へ出力する。従って、上記基地局側と端末側で一致した秘話コードでの変復調が達成される。」
　
コ．「また、上記実施形態では時計で乱数発生のタイミングを取っていたが設定スイッチを設けて、この設定スイッチを押すことによってタイミングを取る様にしても良い。」（第４頁右欄第９行〜１２行）
　
　上記ア．〜オ．の事項を参照すると、刊行物１には、
　基地局と無線機との間で秘話コードを統一させ、その秘話コードによって変復調を行って無線通信を行う様にした無線通信システムであって、上記基地局と無線機間とを有線で接続し、その有線を介して秘話コードの指定信号を上記基地局から無線機へ供給することを特徴とする無線通信システムが記載されている。
　
　また、上記カ．〜ケ．の事項を参照すると、刊行物１には、
　本発明による無線通信システムの一実施形態では、無線通信システムは、１つの基地局２４に対して複数の携帯無線機（端末）２５が設けられる構成となっており、
　上記基地局２４は、音声を入力するマイク２６と、上記マイク２６に接続されたＡ／Ｄ変換器２７と、音声を出力するスピーカ２８と、上記スピーカ２８に接続されたＤ／Ａ変換器２９と、上記Ａ／Ｄ変換器２７および上記Ｄ／Ａ変換器２９に接続されたデジタル変復調器３０と、上記デジタル変復調器３０に接続された送信部３１と、上記送信部３１に接続されたアンテナ３２と、上記アンテナ３２およびデジタル変復調器３０に接続された受信部３３とを有すると共に、上記デジタル変復調器３０に接続された秘話コード記憶部３４と、上記秘話コード記憶部３４に接続された乱数発生部３５と、上記乱数発生部３５に接続された時計３６と、上記乱数発生部３５に接続されたインターフェース３７と、上記インターフェース３７に接続されたコネクタ３８−１とを有しており、
　上記携帯無線機（端末）２５は、音声を入力するマイク３９と、上記マイク３９に接続されたＡ／Ｄ変換器４０と、音声を出力するスピーカ４１と、上記スピーカ４１に接続されたＤ／Ａ変換器４２と、上記Ａ／Ｄ変換器４０および上記Ｄ／Ａ変換器４２に接続されたデジタル変復調器４３と、上記デジタル変復調器４３に接続された送信部４４と、上記送信部４４に接続されたアンテナ４５と、上記アンテナ４５およびデジタル変復調器４３に接続された受信部４６とを有し、さらに、上記デジタル変復調器４３に接続された秘話コード記憶部４７と、上記秘話コード記憶部４７に接続されたインターフェース４８と、上記インターフェース４８に接続されたコネクタ４９−１とを有している。そして、上記基地局２４のコネクタ３８−１と接続可能なコネクタ３８−２と上記端末２５のコネクタ４９−１接続可能なコネクタ４９−２とが有線５０で接続される様になっており、
　上記端末２５のコネクタ４９−１が充電器５１の内底面のコネクタ４９−２を介して上記有線５０に着脱自在に接続される様になっており、上記基地局２４のコネクタ３８−１と連接するコネクタ３８−２と有線５０とが直接に接続され、すなわち、通常、上記端末２５は１日 少なくとも１回は上記充電器５１に取り付けて充電を行う様になっているので、上記端末２５は上記充電器５１を介して上記有線５０に１日１回は接続され、上記秘話コード記憶部３４、４７は、ＲＯＭ等のメモリから成っており、それぞれ同じ複数の秘話コードを記憶しており、上記乱数発生部３５よりの乱数に対応した秘話コードを上記デジタル変復調器３０、４３に出力する様になっており、
　無線通信システムの動作の秘話コードの設定の動作については、上記基地局２４において上記時計３６によって１日毎の所定時間を計測し、その所定時間に上記時計３６より上記乱数発生部３５に乱数発生指示信号が供給され、上記乱数発生指示信号を入力した乱数発生部３５は、その入力時点の乱数信号を出力し、その乱数信号は、上記基地局２４の秘話コード記憶部３４へ送られると共に、上記インターフェース３７およびコネクタ３８および有線５０およびコネクタ４９およびインターフェース４８を介して上記端末２５の秘話コード記憶部４７へも送られ、そして、上記各秘話コード記憶部３４、４７は上記乱数に対応した秘話コードを選択して各デジタル変復調器３０、４３へ出力し、従って、上記基地局側と端末側で一致した秘話コードでの変復調が達成されることが記載されている。
　
　また、上記コ．の事項を参照すると、刊行物１には、
　時計で乱数発生のタイミングを取る構成に代えて、設定スイッチを設けて、この設定スイッチを押すことによってタイミングを取る様にしても良いことが記載されている。
　
　以上を勘案すると、刊行物１には、
　無線の送信部４４及び受信部４６と、
　秘話コードをＲＯＭ等のメモリに記憶する秘話コード記憶部３４，４７と、
　乱数に対応した秘話コードを使用して暗号化復号化を行うデジタル変復調器３０、４３と
　を具備する無線通信システムにおいて、
　乱数信号を出力する乱数発生部３５と発生した乱数信号を秘話コード記憶部３４へ送り乱数に対応した秘話コードを選択する手段と、
　乱数発生のタイミングを設定する設定スイッチと、
　携帯無線機と端末との間でデータ伝送を行うケーブルと、
　有線５０を使用して乱数信号を基地局２４から各携帯無線機（端末）２５に転送する手段と、
　前記有線５０を使用して乱数信号を受信する手段と、
　前記乱数発生のタイミングを設定する設定スイッチが押される場合に、
　親局に指定されている基地局は、前記乱数発生部３５によって乱数信号を発生し、乱数に対応した秘話コードを前記秘話コード記憶部３４に格納されている秘話コードから選択すると共に、前記の前記有線５０を使用して乱数信号を受信し秘話コード記憶部４７へ送る手段によって乱数信号を各携帯無線機（端末）２５に転送し、
　前記子局に指定されている携帯無線機（端末）２５は、前記乱数信号を受信する手段によって乱数信号を受信し、前記乱数信号を秘話コード記憶部４７へ送って乱数に対応した秘話コードを選択して秘話コードを設定する手段とを備え
　更に、基地局は、乱数信号を携帯無線機（端末）に転送する手段を備えた無線通信システム（以下、「刊行物１記載の発明」という。）が記載されている。
　
（２）また、原審の拒絶の理由通知に引用された刊行物２（特開平１０−９３５６９号公報）には、ネットワークに所属しているステーションの中から各ステーションの状態を監視するマスタステーションを決定する方法が記載されている。
　
（３）また、原審の拒絶査定の備考欄で引用された刊行物３（特開平−号公報１−２６５６９７号公報）には、ＤＩＰスイッチにより局種別の設定を行うことが記載されている。
　
３．対比・判断
［請求項１］に係る発明について
（１）対比
　請求項１に係る発明と刊行物１記載の発明とを対比すると、
ア．刊行物１記載の発明の「無線の送信部４４及び受信部４６」は、請求項１に係る発明の「無線データ送受信手段」に対応する。
　
イ．刊行物１記載の発明の「秘話コードをＲＯＭ等のメモリに記憶する秘話コード記憶部３４，４７」は、請求項１に係る発明の「鍵を不揮発性の記憶手段に格納する鍵記憶手段」に対応する。
　
ウ．刊行物１記載の発明の「乱数に対応した秘話コードを使用して暗号化復号化を行うデジタル変復調器３０、４３」は、請求項１に係る発明の「鍵を使用してデータの暗号化復号化を行う暗号化手段」に対応する。
　
エ．刊行物１記載の発明の「無線通信システム」は、請求項１に係る発明の「無線伝送装置」に対応する。
　
オ．刊行物１記載の発明の「乱数信号を出力する乱数発生部３５と発生した乱数信号を秘話コード記憶部３４へ送り乱数に対応した秘話コードを選択する手段」は、請求項１に係る発明の「鍵生成手段」に対応する。
　
カ．刊行物１記載の発明の「乱数発生のタイミングを設定する設定スイッチ」は、請求項１に係る発明の「鍵設定モード起動手段」に対応する。
　
キ．刊行物１記載の発明の「携帯無線機と端末との間でデータ伝送を行うケーブル」は、請求項１に係る発明の「無線伝送装置と端末装置との間でデータ伝送を行うための有線データ送受信手段」に対応する。
　
ク．刊行物１記載の発明の「前記有線５０を使用して乱数信号を受信する手段」は、請求項１に係る発明の「前記有線データ送受信手段を使用して鍵を他の無線伝送装置に転送する鍵転送手段」に対応する。
　
ケ．刊行物１記載の発明の「前記乱数発生のタイミングを設定する設定スイッチが押される場合」は、請求項１に係る発明の「前記鍵設定モード起動手段によって鍵設定モードが起動された場合に、」に対応する。
　
コ．刊行物１記載の発明の「親局に指定されている基地局は、前記乱数発生部３５によって乱数信号を発生し、乱数に対応した秘話コードを前記秘話コード記憶部３４に格納されている秘話コードから選択すると共に、前記有線５０を使用して乱数信号を各携帯無線機（端末）２５に転送」する点は、請求項１に係る発明の「親局に指定されている場合には、前記鍵生成手段によって鍵を生成し、前記鍵転送手段によって鍵を他の無線伝送装置に転送する」点に対応する。
　
サ．刊行物１記載の発明の「子局に指定されている携帯無線機（端末）２５は、前記乱数信号を受信する手段によって乱数信号を受信し、前記乱数信号を秘話コード記憶部４７へ送って乱数に対応した秘話コードを選択して秘話コードを設定する手段」は、請求項１に係る発明の「子局に指定されている場合には、前記鍵受信手段によって鍵を受信し、前記鍵記憶手段によって鍵を不揮発性の記憶手段に格納する鍵設定制御手段」に対応する。
　
シ．刊行物１記載の発明の「更に、基地局は、乱数信号を携帯無線機（端末）に転送する手段を備える」点は、ある携帯無線機（端末）がコネクタに接続されれば、その携帯無線機（端末）のみに乱数信号（鍵）を転送することができるから
　請求項１に係る発明の「更に、親局に指定されている場合に、鍵を前記鍵転送手段によって他の無線伝送装置に転送する手段を備える」点と一致している。
　
　したがって、両者は、以下の点で一致し、以下の各点で相違する。
＜一致点＞
　無線データ送受信手段と、鍵を不揮発性の記憶手段に格納する鍵記憶手段と、鍵を使用してデータの暗号化復号化を行う暗号化手段とを具備する無線伝送装置において、
　鍵生成手段と、
　鍵設定モード起動手段と、
　有線データ送受信手段を使用して鍵を他の無線伝送装置に転送する鍵転送手段と、
　有線データ送受信手段を使用して鍵を受信する鍵受信手段と、
　前記鍵設定モード起動手段によって鍵設定モードが起動された場合に、
　親局に指定されている場合には、前記鍵生成手段によって鍵を生成し、前記鍵転送手段によって鍵を他の無線伝送装置に転送し、
　子局に指定されている場合には、前記鍵受信手段によって鍵を受信する鍵設定制御手段とを備え、
　更に、親局に指定されている場合に、鍵を前記鍵転送手段によって他の無線伝送装置に転送する手段を備えた無線伝送装置。
　
＜相違点＞
（ア）無線伝送装置が、
　請求項１に係る発明では、親／子指定手段を備え、前記親／子指定手段により親局あるいは子局に指定して鍵を転送するのに対し、
　刊行物１記載の発明では、基地局が親局に、携帯無線機（端末）か子局に固定して指定されている点。
　
（イ）無線伝送装置が、
　請求項１に係る発明では、鍵を不揮発性の記憶手段に格納する鍵記憶手段を備え、親局においても子局においても、それぞれ、鍵を不揮発性の記憶手段に格納するのに対し、
　刊行物１記載の発明では、乱数発生器で発生された乱数信号に対応して秘話コード記憶部に記憶された秘話コードが選択される点。
　
（ウ）無線伝送装置が、
　請求項１に係る発明では、無線伝送装置と端末装置との間でデータ伝送を行うための有線データ送受信手段を備え、前記有線データ送信手段を使用して鍵を転送するのに対し、
　刊行物１記載の発明では、基地局と携帯無線機（端末）との間でインターフェースとコネクタを介して有線５０を使用して乱数信号（鍵）を転送する点。
　
（エ）無線伝送装置が、更に、
　請求項１に係る発明では、前記親／子指定手段により親局に指定されている場合に、前記不揮発性の記憶手段に格納されている鍵を前記鍵転送手段によって他の無線伝送装置に転送する鍵コピー手段を備えているのに対し、
　刊行物１記載の発明の、更なる転送手段は、鍵コピー手段ではない点。
　
（２）判断
　上記の相違点（ア）については、
　刊行物２には、ネットワークに所属しているステーションの中から各ステーションの状態を監視するマスタステーションを決定する方法が記載され、刊行物３には、ＤＩＰスイッチにより局種別の設定を行うことが記載されているが、
　
　上記刊行物２記載の方法は、ネットワークへのステーションの加入時に、予めマスタのステーションを定めておいて、マスタステーションが自局に備えているＩＰ（インターネットプロトコル）リストをネットワークを介して新規接続ステーションに転送するものであり、
　また、刊行物３記載のものは、遠隔監視制御システムにおいてユーザ設定スイッチをディップスイッチにて設定自在にし、端末機種別設定用（監視用あるいは制御用）に上位２ビットを固定化するというものである、
　
　刊行物１記載の発明は、基地局と無線機との間で鍵を転送するものであって、親局と子局との関係は固定されており、
　また、刊行物２、３にも、親／子指定手段により親局あるいは子局に指定して、鍵を転送する構成は記載されておらず、また、示唆もされていないから、上記（ア）の相違点については、各刊行物記載の発明から当業者が容易に想到することができたとは言えない。
　
　また、上記の相違点（ウ）については、
　刊行物１記載の発明では、基地局と無線機との間を有線で結んでいるが、この有線は、いわば、無線伝送装置と無線伝送装置との間を結ぶ有線であり、
　無線伝送装置と端末装置との間でデータ伝送を行うための有線ではなく、
　データ送受信手段を有線データ送信手段を使用して鍵を転送する点については、各刊行物に記載もなく示唆もないので、上記の相違点（ウ）についても当業者が容易に想到することができたとは言えない。
　
　更に、上記の相違点（イ）及び（エ）については、
　刊行物１記載の秘話コード記憶部は、予め複数の秘話コードがＲＯＭ等に記憶されていて、発生された乱数に応じて選択されるものであって、固定されたデータが記憶されるものであって、発生した鍵や受信した鍵を格納する不揮発性の記憶手段とは相違しており、
　また、この不揮発性の記憶手段に格納されている鍵を前記鍵転送手段（無線伝送装置と端末装置との間でデータ伝送を行うための有線データ送受信手段を使用）によって転送する構成は、各刊行物には記載されておらず、当業者が容易に想到することができとは言えない。
　
　したがって、請求項１に係る発明は、各刊行物記載の発明に基いて当業者が容易に発明をすることができたとは言えない。
　
［請求項２］に係る発明について
請求項２に係る発明は、請求項１を引用し、更に、子局に指定されていた無線伝送装置が親局に指定された場合には、前記不揮発性の記憶手段に格納されている鍵を消去する鍵消去手段を備えた点を特定したものであり、
　
　請求項２に係る発明についても、請求項１に係る発明と同様に、刊行物１乃至刊行物３記載の発明に基いて当業者が容易に発明をすることができたものであるとはいえない。
　
　したがって、請求項２に係る発明は、各刊行物に記載された発明に基いて当業者が容易に発明をすることができたは言えない。
　
４．むすび
　以上のとおりであるから、この出願の発明は、特許法第２９条第２項の規定により特許を受けることができないという原査定の判断は妥当ではない。
　また、他に本願を拒絶すべき理由を発見しない。
  よって、結論のとおり審決する。